(57)【特許請求の範囲】
【請求項１】
録画記録される記録媒体と、前記記録媒体に録画記録情報を書込むためのメカ部と、被写体を撮影する光学系と、画像の録画記録を制御する制御部と、バッテリと、使用者の操作入力を行なう外部入力部と、前記記録媒体、前記メカ部、前記光学系、前記制御部、前記バッテリおよび前記外部入力部を収納するキャビネットを備える、ビデオカメラであって、
前記キャビネットには、前記記録媒体の取出しのみが可能な開口部が設けられ、前記開口部から前記記録媒体が取出されたことを検出する媒体検出部と、
前記媒体検出部によって前記記録媒体の取出が判明した場合に、再度記録媒体の挿入を不可能にする媒体挿入防止機構部と、
を備える、ビデオカメラ。
【請求項２】
前記記録媒体の残り容量を判断する記録容量検出部と、
前記記録容量検出部により残り容量がないことを確認した場合、前記メカ部、前記制御部および前記光学系のうち少なくとも１ヶ所への前記バッテリからの電流の供給を停止させる電流停止機能と、
をさらに備える、請求項１に記載のビデオカメラ。
【請求項３】
表示部と、
前記記録容量検出部により前記記録媒体の残り容量がないことを確認した場合、記録媒体の取出指示を前記表示部に表示する取出指示表示手段と、
をさらに備える、請求項２に記載のビデオカメラ。
【請求項４】
前記媒体検出部によって記録媒体の取出が判明した場合に、当該ビデオカメラの返却指示を前記表示部に表示する返却指示表示手段をさらに備える、請求項３に記載のビデオカメラ。
【請求項５】
録画記録される記録媒体と、前記記録媒体に録画記録情報を書込むためのメカ部と、被写体を撮影する光学系と、画像の録画記録を制御する制御部と、バッテリと、使用者の操作入力を行なう外部入力部と、前記記録媒体、前記メカ部、前記光学系、前記制御部、前記バッテリおよび前記外部入力部を収納するキャビネットを備える、ビデオカメラであって、
前記キャビネットには、当該ビデオカメラの筐体をなす本体樹脂部と、前記本体樹脂部の一部において一体的に成形されるカバー樹脂部とで構成され、前記カバー樹脂部を切欠することで前記記録媒体の取出しのみが可能な開口部が形成されるとともに、前記開口部が開口されたことを監視する開口部検出部と、
前記開口部検出部によって前記開口部の開口が判明した場合に、前記メカ部、前記制御部および前記光学系のうち少なくとも１ヶ所への前記バッテリからの電流の供給を停止させる電流停止機能部と、
を備える、ビデオカメラ。
【請求項６】
表示部と、
前記記録媒体の残り容量を判断する記録容量検出部と、
前記記録容量検出部により前記記録媒体の残り容量がないことを確認した場合、記録媒体の取出指示を前記表示部に表示する取出指示表示手段と、
をさらに備える、請求項５に記載のビデオカメラ。
【請求項７】
前記開口部検出部によって開口が判明した場合に使用者に当該ビデオカメラの使用が不可であることを前記表示部に表示する使用不可表示手段をさらに備える、請求項６に記載のビデオカメラ。
【請求項８】
前記本体樹脂部と前記カバー樹脂部との境界部に枠線を設けたことを特徴とする、請求項５から７のいずれかに記載のビデオカメラ。
【請求項９】
前記枠線に沿って線状の切欠溝部を設けたことを特徴とする、請求項８に記載のビデオカメラ。
【発明の詳細な説明】
【０００１】
【発明の属する技術分野】
この発明は、ビデオカメラに関し、循環型利用（リサイクル利用）形態に最適な技術およびシステムを備えたビデオカメラに関する。
【０００２】
【従来の技術】
近年の環境問題が高まりつつある中、商品や部品のリユースに代表されるような循環型利用（リサイクル利用）形態の商品の取組みが重要となっている。商品の循環型利用（リサイクル利用）形態を行なう商品として、特開平６−３１１４０６号公報に開示される録画再生装置が存在する。この録画再生装置は、再生用の要素がない録画専用のビデオカメラと、別途独立した再生専用の再生装置からなる。
【０００３】
以上の構成により、ビデオカメラの価格は安くなり、使用者は容易にビデオカメラを入手できる。また、録画した内容は再生装置が設置された複写代行所へ持参することにより、ビデオテープ等の録画媒体に複写されることにより、録画した内容が記録された録画媒体の入手可能となる。複写代行所に返却されたビデオカメラは製造者に戻され、部品のリユース、リサイクルが行なわれ、再度新規ビデオカメラの部品として利用される。
【０００４】
【発明が解決しようとする課題】
ところで、上記従来の録画再生装置による利用形態においては、ビデオカメラの使用者が録画し、録画内容の確認または録画媒体の入手をしようとする場合、複写代行所へビデオカメラを持参し、複写代行所で専用の再生装置により所定の録画媒体に複写する必要があり、使用者は録画内容が記録された録画媒体を入手するまで時間がかかるという問題が生じる。また複写代行所においても、専用の再生装置を設置するほか複写に要する費用など設備費用や処理経費等が発生するという問題が生じる。
【０００５】
したがって、本発明の目的は上記課題を解決するためになされたものであり、使用者が簡単に速く録画した記録媒体等の入手が可能で、かつ、専用の再生装置を必要としないビデオカメラを提供することにある。
【０００６】
【課題を解決するための手段】
この発明に基づいたビデオカメラの１つの局面においては、録画記録される記録媒体と、上記記録媒体に録画記録情報を書込むためのメカ部と、被写体を撮影する光学系と、画像の録画記録を制御する制御部と、バッテリと、使用者の操作入力とを行なう外部入力部と、上記記録媒体、上記メカ部、上記光学系、上記制御部、上記バッテリおよび上記外部入力部を収納するキャビネットを備える、ビデオカメラであって、上記キャビネットには、上記記録媒体の取出しのみが可能な開口部が設けられ、上記開口部から上記記録媒体が取出されたことを検出する媒体検出部と、上記媒体検出部によって上記記録媒体の取出が判明した場合に、再度記録媒体の挿入を不可能にする媒体挿入防止機構部とを備える。
【０００７】
このような機構を備えることにより、記録媒体が取出された後にはビデオカメラに記録媒体を挿入することができないため、使用者によるビデオカメラの再利用はできなくなり、使用者に対してビデオカメラの循環型利用形態を促すことが可能になる。また、ビデオカメラから取出した記録媒体は、使用者の保有する再生装置で再生可能であるため、従来の技術で課題となった複写代行所における複写作業が発生することなく使用者の利便性が向上する。また製造者側においても使用者が撮影した記録を複写するための再生装置を開発する必要がないため、開発費用を少なく抑えることが可能になる。
【０００８】
また上記発明において、好ましい形態として以下に示すような機構が採用される。たとえば、上記記録媒体の残り容量を判断する記録容量検出部と、上記記録容量検出部により残り容量がないことを確認した場合、上記メカ部、上記制御部および上記光学系のうち少なくとも１ヶ所への上記バッテリからの電流の供給を停止させる電流停止機能とをさらに備える。この機構により、使用者に対して記録媒体の残り容量が少なくなったことを知らせるとともに、使用者に対してビデオカメラの循環型利用を促すことが可能になる。
【０００９】
また、好ましくは、表示部と、上記記録容量検出部により上記記録媒体の残り容量がないことを確認した場合、記録媒体の取出指示を上記表示部に表示する取出指示表示手段とをさらに備える。この機構により、使用者に対して視覚的に記録媒体の残り容量が少なくなったことを知らせるとともに、使用者に対してビデオカメラの循環型利用を促すことが可能になる。
【００１０】
また、好ましくは、上記媒体検出部によって記録媒体の取出が判明した場合に、当該ビデオカメラの返却指示を上記表示部に表示する返却指示表示手段をさらに備える。この機構により、使用者に対して視覚的にビデオカメラの循環型利用を促すことが可能になる。
【００１１】
この発明に基づいたビデオカメラの他の局面においては、録画記録される記録媒体と、上記記録媒体に録画記録情報を書込むためのメカ部と、被写体を撮影する光学系と、画像の録画記録を制御する制御部と、バッテリと、使用者の操作入力とを行なう外部入力部と、上記記録媒体、上記メカ部、上記光学系、上記制御部、上記バッテリおよび上記外部入力部を収納するキャビネットを備える、ビデオカメラであって、上記キャビネットには、当該ビデオカメラの筐体をなす本体樹脂部と、上記本体樹脂部の一部において一体的に成形されるカバー樹脂部とで構成され、上記カバー樹脂部を切欠することで上記記録媒体の取出しのみが可能な開口部が形成されるとともに、上記開口部が開口されたことを監視する開口部検出部と、上記開口部検出部によって上記開口部の開口が判明した場合に、上記メカ部、上記制御部および上記光学系のうち少なくとも１ヶ所への上記バッテリからの電流の供給を停止させる電流停止機能部とを備える。
【００１２】
このような機構を備えることにより、開口部が開口された後にはビデオカメラの使用が不可能になるため、使用者によるビデオカメラの再利用はできなくなり、使用者に対してビデオカメラの循環型利用を促すことが可能になる。また、ビデオカメラから取出した記録媒体は、使用者の保有する再生装置で再生可能であるため、従来の技術で課題となった複写代行所における複写作業が発生することなく使用者の利便性が向上する。また製造者側においても使用者が撮影した記録を複写するための再生装置を開発する必要がないため、開発費用を少なく抑えることが可能になる。
【００１３】
また、上記発明において、好ましい形態として以下に示すような機構が採用される。ととえば、表示部と、上記記録媒体の残り容量を判断する記録容量検出部と、上記記録容量検出部により上記記録媒体の残り容量がないことを確認した場合、記録媒体の取出指示を上記表示部に表示する取出指示表示手段とをさらに備える。この機構により、使用者に対して視覚的にビデオカメラの循環型利用を促すことが可能になる。
【００１４】
また、好ましくは、上記開口部検出部によって開口が判明した場合に使用者に当該ビデオカメラの使用が不可であることを上記表示部に表示する使用不可表示手段をさらに備える。この機構により、使用者に対して視覚的にビデオカメラの循環型利用をさらに促すことが可能になる。
【００１５】
また、好ましくは、上記本体樹脂部と上記カバー樹脂部との境界部に枠線を設けたことを特徴とする。さらに、好ましくは、上記枠線に沿って線状の切欠溝部を設けたことを特徴とする。このように、上記枠線に沿って線状の切欠溝部を設けることにより、キャビネットは外部からの簡単な力では切欠溝部が壊れない強度を持つが、一定以上の外力が加わることにより切欠溝部が壊れ、キャビネット内部のカセットの取出を可能とする開口部が形成される。
【００１６】
【発明の実施の形態】
以下、本発明に基づいた各実施の形態におけるビデオカメラについて、図を参照しながら説明する。
【００１７】
［実施の形態１]
図１に本発明に基づいた実施の形態１におけるビデオカメラの制御ブロックを図示する。図２に本実施の形態におけるビデオカメラ内部の使用パーツの配置図を示す。なお、図２（ａ）は正面図を示し、図２（ｂ）は右側面図を示す。図３に本実施の形態におけるビデオカメラの外観図を示す。また、図１においては本発明に直接関係のない構成部材、たとえばビデオカメラ本体、テープ走行メカ機構部についての記載は省略している。
【００１８】
＜ビデオカメラの機構＞
図１を参照して、本実施の形態におけるビデオカメラの制御ブロックは、テープエンド検出器１、カセット検出部２、制御部３、バッテリ制御部４、カセット挿入防止機構５、カセットイジェクトロック解除機構６、および表示部７を備える。
【００１９】
また、図２を参照して、本実施の形態におけるビデオカメラの内部には、レンズ部２１、ＣＣＤ２２、映像信号処理回路２３、メイン基板２４、メカ本体部２５、カセット２６、バッテリ２７、ファインダ２８およびビデオカメラ本体のキャビネット２９等のパーツが使用されている。
【００２０】
図３を参照して、本実施の形態におけるビデオカメラの外観においては、カセット取出蓋３１、録画開始ボタン３２およびメインスイッチ３３が配置されている。なお、図３においては、カセット取出蓋３１の構造がよく理解できるようにカセット取出蓋３１が開けられている状態を示している。
【００２１】
再び図１を参照して、テープエンド検出器１はカセット２６内に収納された磁気テープ９の終端に設けられた透明なテープ部分を、市販のフォトインタラプタなどを用いて検出し、磁気テープの残量またはテープエンドを認識する。カセット検出部２はカセットの取出の有無を検出する。
【００２２】
制御部３はメイン基板２４に搭載された回路部で、後述する本発明の制御等を司っている。バッテリ制御部４は制御部３の指示の下、各種部材への電流の投入の制御を行なっている。カセットイジェクトロック解除機構６はカセット取出蓋３１のイジェクト機構をロックしているレバーの解除を行なう機構部である。
【００２３】
カセット取出蓋３１は通常ではロックがかかり使用者はカセット取出蓋３１を開くことはできない。カセット挿入防止機構５は使用者によってカセットの取出が行なわれた場合、再度のカセット挿入を防止する機構部である。表示部７は、適宜カセット２６の取出およびビデオカメラの返却等を使用者に促す表示を行なう。
【００２４】
再び図２を参照して、レンズ部２１は被写体の光学情報をＣＣＤ２２に結像させ、ＣＣＤ２２は得られた光学情報を電気情報に変換する。映像信号処理回路２３はＣＣＤ２２からの電気信号を増幅および規格化された映像信号に変換する回路部である。メイン基板２４は録画信号再生のための信号処理のほか、メカ本体部２５の制御、および制御部３などからなる回路部を有する。
【００２５】
メカ本体部２５は、磁気テープ９に録画情報を記録する磁気ヘッドを搭載したドラム、カセット２６から磁気テープ９を引出すローディング機構部、磁気テープ９を所定の速度で走行させるキャプスタンおよびピンチローラなどから構成される。これらの駆動はメイン基板２４に搭載の回路で制御される。カセット２６は磁気テープ９を巻装し製造時に予めメカ本体部２５の所定位置に装着されている。
【００２６】
図２および図３を参照して、ファインダ２８は、キャビネット２９の一部が使用者の操作により図示の如く立上げられ、ファインダ２８を通して被写体像を得る。カセット取出蓋３１は通常の使用時は開けられない構造になっている。
【００２７】
テープエンドとなり使用者の録画が終了すると、イジェクト機構のロックが解除され、使用者は内蔵されたカセット２６を取出すことができる。一度カセット２６がビデオカメラから取出されるとカセット検出部２で後述するようにカセット２６の取出が検出され、カセット挿入防止機構６が作動し、使用者が再度カセット２６を挿入しようとしても挿入は不可能になる。録画開始ボタン３２は使用者が録画を開始するときに使用する。また、メインスイッチ３３は本ビデオカメラの録画動作をスタンバイする場合に使用される。
【００２８】
＜ビデオカメラの動作＞
以上のように構成された本実施の形態におけるビデオカメラの動作を示す。本体のメインスイッチ３３の入力後、メイン基板２４およびメカ本体部２５にバッテリ２７から電流が供給される。本ビデオカメラは録画スタンバイの状態になりほぼ図２に示す位置にメカ本体部２５がローディングされ、録画スタンバイモードになる。使用者はファインダ２８を通して被写体を捉え、必要に応じて録画開始ボタン３２が押され録画が開始される。
【００２９】
録画開始のスタートによりＣＣＤ２２や映像信号処理回路２３にバッテリ２７から電流が供給され、被写体からの映像情報がレンズ部２１、ＣＣＤ２２、映像処理信号回路２３、メイン基板２４の順に伝達され所定の信号処理の後、メカ本体部２５の回転ドラム８を介してカセット２６内の磁気テープ９に映像情報が記録される。この録画の状態において、カセット蓋３１は外部から開けられないように、後述するカセットイジェクトロック機構５が作動している。なお、これらの所定の信号処理やメカ本体部２５の動作については、公知の技術を適用することができるので、詳細な説明は省略する。
【００３０】
使用者の録画操作によって磁気テープ９が終端に差し掛かるとテープエンド検出器１により磁気テープ９の終端が検出される。テープエンド検出器１により磁気テープ９の終端が検出されるとメイン基板２４に搭載されている制御部３でテープ終端が判断される。
【００３１】
メカ本体部２５はカセット２６が取出せるアンロードの位置に動作した後、表示部７によりカセット２６の取出、およびビデオカメラの返却を促すサインを使用者に表示すると同時に、カセット挿入防止機構６が移動し、この後のカセット２６の挿入はできなくなる。その後、バッテリ制御部４によりＣＣＤ２４、映像処理回路２３などの不要な回路への電流の供給を停止させる。
【００３２】
＜メカ本体部２５の具体的構造＞
図４および図５は上記メカ本体部２５の具体的構造を示す図である。なお、各図とも構造をよくわかりやすく説明するためにカセット２６および磁気テープ９を省略した状態で図示している。図４は録画が開始された状態におけるメカ本体部２５の構造を示し、図５は録画終了後カセット２６が取出された状態のメカ本体部２５の状態を示す。メカ本体部２５は、ドラム４１、キャプスタン４２、磁気テープローディングピン４３，４４、巻取側ローラ４５、供給側ローラ４６、テープ検出ＬＥＤ４７、テープエンド検出器４８、カセットリールロック解除レバー４９、駆動モータ５０、カセット支持台５１、カセットイジェクトロックレバー５２およびテープ挿入防止レバー５３を備える。
【００３３】
＜メカ本体部２５の録画における動作＞
上記構造のメカ本体部２５の録画における動作を図４を参照して説明する。なお、使用するカセット２６はＤＶＣ（デジタルビデオカセット）と同等な使用を想定して説明する。図示しないＤＶＣはカセット支持台５１に支持されている。またカセットリールロック解除レバー４９が、カセット２６内のカセットリールロック機構を解除し、カセット２６のリールのロックが解除された状態になっている。
【００３４】
カセット２６内の磁気テープは磁気テープローディングピン４３、４４により案内されドラム４１に所定の角度で巻付けられている。さらに録画時においてキャプスタン４２により所定の速度で巻取側リール４５へ送られる。磁気テープの巻取は巻取側リール４９により巻取られる。なお、供給側リール４６は磁気テープにバックテンションを与えているが、特に供給側への駆動力は発生しない構造となっている。上述した動作はすべて駆動モータ５０からの駆動力により供給されている。
【００３５】
テープ検出ＬＥＤ４７はカセットの図示しないテープ検出ＬＥＤ挿入孔に挿入されており、磁気テープのエンドである透明部が通過するとテープ検出ＬＥＤ４７に対向する位置にあるテープエンド検出器４８によりテープ検出ＬＥＤ４７の発生する光源を検出することにより磁気テープの残量またはテープエンドを検出する。テープ挿入防止レバー５３は本状態では図４に示す位置に配置されカセットや磁気テープの走行に影響することはない。
【００３６】
＜メカ本体部２５の録画終了後における動作＞
次に、録画終了後のメカ本体部２５の動作を図５を用いて説明する。図５は録画が終了し使用者によりカセットが取出された後の状態を示す。テープエンド検出器１により磁気テープの残量または磁気テープの終了が検出されると、制御部３の指示に従いカセットイジェクトロックレバー５２が図５に示す位置に駆動され、カセット蓋３１のロックが解除され使用者がカセット蓋３１を開けることが可能となる。
【００３７】
カセットが使用者により取出されると、後述するカセット検出動作によりカセットの取出が判断され、テープ挿入防止レバー５３が図５に示す位置に駆動される。テープ挿入防止レバー５３の位置は、カセット挿入時においてはカセット表面と接触し、カセットの取出後においては、カセット挿入を妨害するために使用者によるカセットの挿入を阻止する位置に移動する。
【００３８】
＜カセットの取出検出＞
カセットの取出の検出は以下の手法で行なう。図６にカセット取出検出のフローを示す。なお、本実施の形態ではテープエンド検出器４８の出力を利用しカセットの取出の検出を行なう。
【００３９】
「ステップ１」では、テープエンド検出器４８の出力が「Ｈｉｇｈレベル」かどうかを確認し磁気テープの透明部つまりテープエンドを確認する（なお、テープエンド検出器４８の出力が「Ｈｉｇｈレベル」とはテープエンド時、つまりテープ検出ＬＥＤ４７とテープエンド検出器４８との間に光源を遮断するものがない状態を意味し、テープエンド検出器４８の出力が「Ｌｏｗレベル」とはテープエンドでない状態、つまりテープ検出ＬＥＤ４７とテープエンド検出器４８との間に光源を遮断するものがある状態を意味する）。
【００４０】
「ステップ２」では、使用者によるカセットの取出が行なわれると、一時的にカセットがテープ検出ＬＥＤ４７の光源を遮断しテープエンド検出器Ｌｏｗとなるため、テープエンド検出器４８の出力がＬｏｗであることを検出する。
【００４１】
「ステップ３」では、テープエンド検出器４８がＬｏｗになると、カセットが取除かれているために再びテープエンド検出器４８の出力がＨｉｇｈとなることを検出する。
【００４２】
「ステップ４」では、「ステップ１」〜「ステップ３」の条件が判別され、「テープ取り出し」が実行される。なお、本方式にとらわれず一般的に行なわれているように、カセット下にリーフスイッチを設けリーフスイッチのオンオフによるカセットの有無を確認することも可能である。
【００４３】
＜循環型利用形態＞
次に、本実施の形態におけるビデオカメラを利用したときの循環型利用形態について図７を用いて説明する。なお、図７中実線は商品の流れ、点線は金銭の流れを示す。ビデオカメラの使用者は本実施の形態におけるビデオカメラをメーカーまたは販売店等を通じて購入し（１）、購入にかかる代金を支払う（２）。使用者はビデオカメラを使用し（録画した後に）（３）、カセット取出口から録画されたカセットを取出し可能な状態となり（４）、取出されたカセットは使用者が予め所有しているビデオデッキでの再生が可能となる。
【００４４】
なお、上述したようにカセットが取出された場合、ビデオカメラはカセット挿入防止機構６により再度カセットの挿入できなくなっている。その後、使用者は販売店などを通じて製造者にビデオカメラを返却することにより（５）、製造者側から所定の返却代金が支払われる（６）。製造者は返却されたビデオカメラの検査、洗浄などを行なった後に、カセットの充填、バッテリの充電等を実施し、再び製品としてビデオカメラの販売を行なう。
【００４５】
［実施の形態２]
次に、図８に実施の形態２におけるビデオカメラの制御ブロック図を示す。また、図９に本ビデオカメラの外観図を示す。なお、図９（ａ）は正面図を示し、図９（ｂ）は右側面図を示す。図３に本実施の形態におけるビデオカメラの外観図を示す。また、本実施の形態におけるビデオカメラの使用パーツは、上記実施の形態１の図２に示したものと同様であるため説明を省略する。
【００４６】
＜ビデオカメラの機構＞
図８を参照して、本実施の形態におけるビデオカメラの制御ブロックは、テープエンド検出器８１、キャビネット開口部検出部８２、制御部８３、バッテリ制御部８４および表示部８５を備える。
【００４７】
図９を参照して、本実施の形態におけるビデオカメラの外観は、樹脂材料等からなるキャビネット９０を備え、このキャビネット９０のカセット取出部近傍にには一体的にカバー樹脂部９１が設けられている。また、カセット取出のためにカバー樹脂部９１を取外して開口部を形成するための切欠溝部９２が設けられている。
【００４８】
図１０に詳細な切欠溝部の構造を示す。切欠溝部９２によりキャビネット９０は外部からの簡単な力では切欠溝部９２が壊れない強度を持つが、一定以上の外力が加わることにより切欠溝部９２が壊れ、キャビネット９０内部のカセットが取出可能なようになる。
【００４９】
＜メカ本体部の具体的構造＞
図１１に、本実施の形態におけるビデオカメラのメカ本体部の具体的構造を示す。なお、構造をよりわかりやすく説明するために、カセットおよび磁気テープを省略した状態で図示している。図１１を参照して、メカ本体部は、ドラム４１、キャプスタン４２、磁気テープローディングピン４３，４４、巻取側ローラ４５、供給側ローラ４６、テープ検出ＬＥＤ４７、テープエンド検出器４８、カセットリールロック解除レバー４９、駆動モータ５０、カセット支持台５１およびキャビネット開口部検出部７０を備える。
【００５０】
開口部検出部７０はＣｄＳセンサで構成され、キャビネット９０のカバー樹脂部９１が取り除かれ開口部が形成された場合に、外光の変化を検出することにより判断する。なお、開口の検出としてよく知られている、リーフスイッチやフォトインタラプタによる検出も可能である。
【００５１】
＜ビデオカメラの動作＞
以上のように構成されたビデオカメラの動作を示す。本体のメインスイッチ９３の入力後メイン基板２４、メカ本体部２５にバッテリ２７からの電流が供給され本ビデオカメラは録画スタンバイの状態になりほぼ図２に示す位置にメカ本体部２５がローディングされ録画スタンバイモードになる。使用者はファインダ２８を通して被写体を捉え、必要に応じて録画開始ボタン３２が押され録画開始される。
【００５２】
録画開始のスタートによりＣＣＤ２２や映像信号処理回路２３にバッテリ２７からの電流が供給され被写体からの映像情報がレンズ部２１、ＣＣＤ２２、映像信号処理回路２３、メイン基板２４の順に伝達され所定の信号処理の後、メカ本体部２５の回転ドラム８を介してカセット２６内の磁気テープ９に映像情報が記録される。なお、これらの所定の信号処理やメカ本体部の動作について公知の技術であるので詳細な記述は省略する。
【００５３】
なお、この録画の状態においてカバー樹脂部９１は外部から開けられない構造になっている。使用者の録画操作によって磁気テープ９が終端に差し掛かるとテープエンド検出器８１により磁気テープの残量または磁気テープの終端が検出される。テープエンド検出器８１によりテープ終端が検出されるとメイン基板２４に搭載されている制御部８３でテープ終端が判断されると、メカ本体部２５はカセット２６が取出せるアンロードの位置に動作した後表示部７によりビデオカメラの返却を促すサインを使用者に表示する。
【００５４】
次に、バッテリ制御部４によりＣＣＤ２２、映像信号処理回路２３などの不必要な回路部への電流の供給を停止させる。使用者によって録画動作が行なわれている間は、図９で示すようにキャビネット９０のカバー樹脂部９１は閉じられているために使用者はカセットを取出せない。また、無理に上記キャビネット９０のカバー樹脂部９１を取り外し開口部を開口させた場合には、開口部検出部７０によりキャビネット９０の開口が認識され、電流停止機能部によりメカ部、制御部および光学系のうち少なくとも１ヶ所へのバッテリからの電流の供給が停止し録画使用不可となる。
【００５５】
＜循環型利用形態＞
次に、本実施の形態におけるビデオカメラを利用したときの循環型利用形態にについて図１２を用いて説明する。なお、図中実線は商品の流れ、点線は金銭の流れを示す。ビデオカメラの使用者はビデオカメラをメーカーまたは販売店等を通じて購入し（１）、購入にかかる代金を支払う（２）。使用者はビデオカメラを使用、録画した後に（３）、製造者（または販売店）にビデオカメラを返却する（４）。製造者（または販売店）は切欠溝部９２に沿ってキャビネット９０の開口部９２を開口しカセットを取出し、使用者に録画されたカセットとビデオカメラの返却代金とを支払う（５），（６）。使用者に返却されたカセットは使用者が予め所有しているビデオデッキで取出されたカセットの再生が可能である。一方、製造者は返却されたカメラにビデオカメラの検査、洗浄などを行なった後にカセットの充填、バッテリの充電等を実施し、ビデオカメラを再び製品として販売する。
【００５６】
以上、各実施の形態におけるビデオカメラにおいては、記録媒体が取出された後にはビデオカメラに記録媒体を挿入することができないため、使用者によるビデオカメラの再利用はできなくなり、使用者に対してビデオカメラの循環型利用を促すことが可能になる。
【００５７】
また、ビデオカメラから取出した記録媒体は、使用者の保有する再生装置で再生可能であるため、従来の技術で課題となった複写代行所における複写作業が発生することなく使用者の利便性が向上する。また、製造者側においても使用者が撮影した記録を複写するための再生装置を開発する必要がないため、開発費用を少なく抑えることが可能になる。
【００５８】
なお、今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５９】
【発明の効果】
本発明に基づくビデオカメラの一形態においては、ビデオカメラの循環型利用をする場合において使用者がビデオカメラを使用した後に使用者がカセットを取出し使用者の保有する再生デッキで再生可能なために、従来の技術で課題となった再生するための複写等の作業が発生することなく使用者の利便性が向上する。また、製造者側においても使用者が撮影した記録を複写するための再生装置を開発する必要がないため、開発費用を少なく抑えることが可能になる。
【００６０】
また、本発明に基づくビデオカメラの他の形態においては、ビデオカメラの循環型利用をする場合において使用者がビデオカメラを使用した後に使用者が販売店または製造者に返却することにより製造者側がビデオカメラよりカセットを取出し使用者にカセットを返却することになり、従来の技術で課題となった再生するための複写等の作業が発生することがなく使用者の利便性が向上する。また、製造者側においても使用者が撮影した記録を複写するための再生装置を開発する必要がないため、開発費用を少なく抑えることが可能になる。
【図面の簡単な説明】
【図１】  実施の形態１におけるビデオカメラの制御ブロック図である。
【図２】  実施の形態１におけるビデオカメラのパーツ配置図である。
【図３】  実施の形態１におけるビデオカメラの外観図である。
【図４】  実施の形態１におけるビデオカメラのメカ本体部２５の具体的構造を示す第１の図である。
【図５】  実施の形態１におけるビデオカメラのメカ本体部２５の具体的構造を示す第２の図である。
【図６】  実施の形態１におけるビデオカメラのカセット取出検出のフロー図である。
【図７】  実施の形態１におけるビデオカメラの循環型利用形態を示すブロック図である。
【図８】  実施の形態２におけるビデオカメラの制御ブロック図である。
【図９】  実施の形態２におけるビデオカメラの外観図である。
【図１０】  実施の形態２におけるビデオカメラのキャビネットを示す斜視図である。
【図１１】  実施の形態２におけるビデオカメラのメカ本体部の具体的構造を示す図である。
【図１２】  実施の形態２におけるビデオカメラの循環型利用形態を示すブロック図である。
【符号の説明】
１，８１  テープエンド検出器、２  カセット検出部、３，８３  制御部、４，８４  バッテリ制御部、５  カセット挿入防止機構、６  カセットイジェクトロック解除機構、７，８５  表示部、９  磁気テープ、２１  レンズ部、２２  ＣＣＤ、２３  映像信号処理回路、２４  メイン基板、２５  メカ本体部、２６カセット、２７  バッテリ、２８  ファインダ、２９，９０  キャビネット、３１  カセット取出蓋、３２  録画開始ボタン、３３  メインスイッチ、４１  ドラム、４２  キャプスタン、４３，４４  磁気テープローディングピン、４５巻取側ローラ、４６  供給側ローラ、４７  テープ検出ＬＥＤ、４８  テープエンド検出器、４９  カセットリールロック解除レバー、５０  駆動モータ、５１  カセット支持台、５２  カセットイジェクトロックレバー、５３  テープ挿入防止レバー、７０，８２  キャビネット開口部検出部、９１  カバー樹脂部、９２  切欠溝部、９３  メインスイッチ。
【図１】
0003653207.tif 000002
【図２】
0003653207.tif 000003
【図３】
0003653207.tif 000004
【図４】
0003653207.tif 000005
【図５】
0003653207.tif 000006
【図６】
0003653207.tif 000007
【図７】
0003653207.tif 000008
【図８】
0003653207.tif 000009
【図９】
0003653207.tif 000010
【図１０】
0003653207.tif 000011
【図１１】
0003653207.tif 000012
【図１２】
0003653207.tif 000013